(57)【要約】【課題】燃焼部の動作が、連続動作と間欠動作との間で適正に切り替えられ得る給湯装置を提供する。【解決手段】給湯装置１０は、燃料ガスにより燃焼する、その発熱量が調節可能な燃焼器１０３と、燃焼器１０３からの熱を通過する水に伝えて当該水を加熱する１次熱交換器１０４および２次熱交換器１０５と、これら熱交換器１０４、１０５で加熱される前の水の温度を入水温度として検知する温度センサ１３１と、熱交換器１０４、１０５で加熱された後の水の温度を缶体温度として検知する温度センサ１３２と、熱交換器１０４、１０５を通過する水の流量を缶体流量として検知する流量センサ１３４と、制御部１２１とを備える。制御部１２１は、缶体設定温度と缶体温度との差分値および缶体流量に基づく要求号数に、缶体設定温度と缶体温度との差分値に基づく補正値を加えて、入力号数を取得し、入力号数が最低号数を下回る場合に、燃焼器１０３を間欠動作させる。【選択図】図１
2020204440.tif 000002
【特許請求の範囲】
【請求項１】
燃料ガスにより燃焼する、その発熱量が調節可能な燃焼部と、
前記燃焼部からの熱を通過する水に伝えて当該水を加熱する加熱部と、
前記加熱部で加熱される前の水の温度を第１温度として検知する第１温度検知部と、
前記加熱部で加熱された後の水の温度を第２温度として検知する第２温度検知部と、
前記加熱部を通過する水の流量を検知する流量検知部と、
前記燃焼部を制御する制御部と、を備え、
前記制御部は、
前記第２温度に対する目標温度と前記第１温度との差分値および前記流量に基づく要求熱量に、前記目標温度と前記第２温度との差分値に基づく補正値を加えることにより、入力熱量を取得し、
前記入力熱量が所定の発熱量を下回らない場合に、前記入力熱量に対応する発熱量となるように前記燃焼部を連続動作させ、
前記入力熱量が所定の発熱量を下回る場合に、前記燃焼部を間欠動作させる、
ことを特徴とする給湯装置。                
【請求項２】
請求項１に記載の給湯装置において、
前記制御部は、前記目標温度と前記第２温度との差分値および前記流量に基づくフィードバック制御により前記補正値を取得する、
ことを特徴とする給湯装置。
【請求項３】
請求項２に記載の給湯装置において、
前記フィードバック制御として、ＰＩ制御が用いられる、
ことを特徴とする給湯装置。
【請求項４】
請求項１ないし３の何れか一項に記載の給湯装置において、
前記制御部は、前記入力熱量に応じて前記燃焼部に供給する燃料ガスの供給量を制御する、
ことを特徴とする給湯装置。
【発明の詳細な説明】
【技術分野】
【０００１】
本発明は、給湯装置に関する。
【背景技術】
【０００２】
熱交換器と、熱交換器を加熱するバーナーとを備え、熱交換器を加熱するために要求される要求熱量が、バーナーが有する最低の燃焼能力に対応した最低熱量より大きい場合に、比例制御による燃焼運転、即ち連続運転（連続動作）が行われ、要求熱量が最低熱量以下である場合に、間欠運転（間欠動作）が行われるようにバーナーが制御される給湯装置が、たとえば、特許文献１に記載されている。間欠運転において、燃焼時にバーナーが発生する熱量は最低熱量となる。この給湯装置では、要求熱量が最低熱量以下である場合にも、熱交換器により加熱された後の湯を設定温度に近い温度に維持できる。
【０００３】
この給湯装置では、燃料ガスの供給量が調節されることにより、バーナーの発熱量が調節される。燃料ガスの供給量は、バーナーのガス供給管に設けられた比例弁の開度により制御される。
【先行技術文献】
【特許文献】
【０００４】
【特許文献１】特開２０１８−９１５３３号公報
【発明の概要】
【発明が解決しようとする課題】
【０００５】
従来、給湯装置では、燃焼器に適正に燃料ガスが供給されるよう、設置時等に燃料ガスの２次圧の設定が行われる。しかしながら、この２次圧の設定値には公差が存在するため、要求される熱量が同じであっても、燃料ガスの供給量は、この公差の範囲内で大小し得る。
【０００６】
よって、上記特許文献１の給湯装置において、燃料ガスの供給量が上記公差の範囲内で大小すると、バーナーの実際の最低熱量も、要求熱量と比較される最低熱量に対して大小することになる。このため、実際の最低熱量が大きい場合には、その最低熱量では要求熱量に対応できないにもかかわらず連続運転が行われ、加熱後の湯が設定温度よりも高く維持されてしまう虞がある。また、実際の最低熱量が小さい場合には、その最低熱量では要求熱量に対応できないにもかかわらず間欠運転が行われ、加熱後の湯が設定温度よりも低く維持されてしまう虞がある。
【０００７】
特に、加熱後の湯が設定温度よりも高くなった場合、バーナーや熱交換器が収容された缶体の耐久性への影響が懸念される。
【０００８】
かかる課題に鑑み、本発明は、燃焼部の動作が、連続動作と間欠動作との間で適正に切り替えられ得る給湯装置を提供することを目的とする。
【課題を解決するための手段】
【０００９】
本発明の主たる態様に係る給湯装置は、燃料ガスにより燃焼する、その発熱量が調節可能な燃焼部と、前記燃焼部からの熱を通過する水に伝えて当該水を加熱する加熱部と、前記加熱部で加熱される前の水の温度を第１温度として検知する第１温度検知部と、前記加熱部で加熱された後の水の温度を第２温度として検知する第２温度検知部と、前記加熱部を通過する水の流量を検知する流量検知部と、前記燃焼部を制御する制御部と、を備える。ここで、前記制御部は、前記第２温度に対する目標温度と前記第１温度との差分値および前記流量に基づく要求熱量に、前記目標温度と前記第２温度との差分値に基づく補正値を加えることにより、入力熱量を取得する。そして、前記制御部は、前記入力熱量が所定の発熱量を下回らない場合に、前記入力熱量に対応する発熱量となるように前記燃焼部を連続動作させ、前記入力熱量が所定の発熱量を下回る場合に、前記燃焼部を間欠動作させる。
【００１０】
ここで、「所定の発熱量」は、たとえば、発熱部が調節可能な最低の発熱量、または、最低の発熱量よりも少し高い発熱量とすることができる。
【００１１】
上記の構成によれば、燃料ガスの供給量が公差の範囲内でばらついても、燃焼部の動作を、連続動作と間欠動作との間で適正に切り替えることができ、安定した給湯温度の給湯を行うことができる。
【００１２】
本態様に係る給湯装置において、前記制御部は、前記目標温度と前記第２温度との差分値および前記流量に基づくフィードバック制御により前記補正値を取得するような構成とされ得る。
【００１３】
上記の構成とされた場合、前記フィードバック制御として、ＰＩ制御が用いられると、目標温度と第２温度との差分値に基づく、より適正な補正値を取得でき、より適正な入力熱量を取得できる。
【００１４】
本態様に係る給湯装置において、前記制御部は、前記入力熱量に応じて前記燃焼部に供給する燃料ガスの供給量を制御するような構成とされ得る。
【００１５】
上記の構成によれば、燃焼部の連続動作時および間欠動作時において、適正な発熱量を加熱部に与えることができ、第２温度を目標温度の近くに維持できる。
【発明の効果】
【００１６】
以上のとおり、本発明によれば、燃焼部の動作が、連続動作と間欠動作との間で適正に切り替えられ得る給湯装置を提供できる。
【００１７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１８】
【図１】図１は、実施形態に係る、給湯装置の構成を示す図である。
【図２】図２は、実施形態に係る、燃焼制御に係る処理を示すフローチャートである。
【図３】図３は、実施形態に係る、発熱量調節処理を示すフローチャートである。
【発明を実施するための形態】
【００１９】
以下、本発明の実施形態について図面を参照して説明する。本実施形態は、ガス式の給湯装置に本発明を適用したものである。
【００２０】
図１は、給湯装置１０の構成を示す図である。
【００２１】
図１に示すように、給湯装置１０は、給湯器１００とリモートコントローラ２００とを備えている。給湯器１００は、屋外または屋内に設置され、リモートコントローラ２００は、屋内に設置される。
【００２２】
給湯器１００は、外装ケース１０１を備える。この外装ケース１０１によって給湯器１００の外殻が構成される。外装ケース１０１には、外気を導入するための吸気口１０１ａが設けられている。ファン１１３が駆動されると、外装ケース１０１の内部が負圧となるため、吸気路Ｒ２を介して、空気が外装ケース１０１内に導入される。
【００２３】
外装ケース１０１の内部に缶体１０２が配置されている。缶体１０２内に、燃焼器１０３と、１次熱交換器１０４および２次熱交換器１０５が収容されている。燃焼器１０３には、点火を行うためのイグナイタ１０３ａが含まれる。イグナイタ１０３ａは、回路基板１２０の制御部１２１によって制御される。
【００２４】
燃焼器１０３には、配管１０６によって燃料ガスが供給される。配管１０６には、配管１０６を開閉するための電磁弁１０７と、燃料ガスの供給量を調節するための比例弁１０８が設けられている。比例弁１０８の開度が調節されることにより、燃料ガスの供給量が調節され、この結果、燃焼器１０３の発熱量が調節される。電磁弁１０７および比例弁１０８は、回路基板１２０の制御部１２１によって制御される。
【００２５】
給湯装置１０では、燃焼器１０３に適正に燃料ガスが供給されるよう、設置時等に燃料ガスの２次圧の設定が行われる。ただし、この２次圧の設定値には公差が存在する。このため、要求される熱量が同じであっても比例弁１０８の開度が異なり、この公差の範囲内で、燃料ガスの供給量が大小し、燃焼器１０３の発熱量が大小し得る。
【００２６】
１次熱交換器１０４および２次熱交換器１０５には、配管１０９が接続されている。配管１０９の入口に水が供給され、配管１０９の出口から湯が放出される。配管１０９を流れる水が１次熱交換器１０４および２次熱交換器１０５の流路を通る間に、燃焼器１０３の燃焼により生じた熱が１次熱交換器１０４および２次熱交換器１０５を介して水に伝達される。これにより、水が温められる。
【００２７】
なお、配管１０９の入口が水栓に繋がる場合と、外部装置に繋がる場合とがある。外部装置は、燃料電池の発電時の排熱を利用して予熱した水をタンクに蓄え、その予熱水を給湯装置１０に供給する装置である。外部装置は、太陽熱を利用して予熱した水をタンクに蓄え、その予熱水を給湯装置１０に供給する装置であってもよい。
【００２８】
１次熱交換器１０４は、顕熱回収式の熱交換器であり、２次熱交換器１０５は、潜熱回収式の熱交換器である。１次熱交換器１０４の流路部は銅からなっており、２次熱交換器１０５の流路部はステンレス鋼（SUS：Steel Use Stainless）からなっている。２次熱交換器１０５は、１次熱交換器１０４に対して排気路Ｒ１側に設けられている。配管１０９を流れる水は、２次熱交換器１０５を通る際に温められた後、さらに、１次熱交換器１０４を通る際に温められる。
【００２９】
配管１０９には、湯の放出量すなわち給湯量を調節するための出湯弁１１０が設けられている。出湯弁１１０は、ステッピングモータによって駆動される。出湯弁１１０の開度は、ステッピングモータのステップ数に従って変化する。ステッピングモータは、回路基板１２０の制御部１２１によって制御される。
【００３０】
さらに、配管１０９の入口側と出口側が配管１１１によってバイパスされている。配管１０９の入口側における配管１１１への分岐位置には、分配弁１１２が設けられている。分配弁１１２は、配管１１１への分流を制御するためのものである。分配弁１１２は、ステッピングモータによって駆動される。分配弁１１２の開度は、ステッピングモータのステップ数に従って変化する。分配弁１１２の開度により、配管１１１への分流の割合が調節される。配管１０９の出口へと向かう湯に配管１１１から水が混入され、これにより、配管１０９の出口から放出される湯の温度が調節される。ステッピングモータは、回路基板１２０の制御部１２１によって制御される。
【００３１】
缶体１０２の給気口１０２ａにファン１１３が連結されている。また、缶体１０２の排気口１０２ｂは、外装ケース１０１の側面に形成された孔を介して、外装ケース１０１の外部に延び出している。ファン１１３は、モータ（図示せず）が駆動されることにより、燃焼器１０３に燃焼用の空気を供給する。ファン１１３は、所定の空燃比で燃焼器１０３に空気が供給されるよう、制御部１２１により所定の回転数に制御される。
【００３２】
給湯器１００は、さらに、回路基板１２０と、３つの温度センサ１３１、１３２、１３３と、流量センサ１３４と、フレームロッド１３５を備えている。回路基板１２０には、制御部１２１の他、給湯器１００を駆動するための回路部が実装されている。
【００３３】
制御部１２１は、たとえば、マイクロコンピュータと、マイクロコンピュータの制御プログラムを格納したメモリとからなっている。メモリは、ＲＡＭ（Random Access Memory）やＲＯＭ（Read Only Memory）等を含む。メモリは、マイクロコンピュータのワーク領域としても用いられる。
【００３４】
３つの温度センサ１３１、１３２、１３３は、たとえば、サーミスタにより構成される。温度センサ１３１は、配管１０９における分配弁１１２よりも下流であって２次熱交換器１０５よりも上流に配置され、２次熱交換器１０５に入る前、即ち、２次熱交換器１０５および１次熱交換器１０４で加熱される前の配管１０９を流れる水の温度（以下、「入水温度」と称する）を検知する。温度センサ１３２は、配管１０９における１次熱交換器１０４よりも下流であって配管１１１よりも上流に配置され、１次熱交換器１０４から出た、即ち、２次熱交換器１０５および１次熱交換器１０４で加熱された後の配管１０９を流れる湯の温度（以下、「缶体温度」と称する）を検知する。温度センサ１３３は、配管１０９における配管１１１よりも下流であって出湯弁１１０よりも上流に配置され、配管１１１からの水が混合された後の配管１０９を流れる湯の温度（以下、「給湯温度」と称する）を検知する。温度センサ１３１、１３２、１３３からは、検知温度に対応する温度信号が制御部１２１へ出力される。
【００３５】
流量センサ１３４は、たとえば、羽根車式流量センサにより構成される。流量センサ１３４は、２次熱交換器１０５および１次熱交換器１０４を流れる水の流量（以下「缶体流量」と称する）を検知する。流量センサ１３４からは、検知流量に対応する流量信号が制御部１２１へ出力される。
【００３６】
フレームロッド１３５は、燃焼器１０３に設けられ、燃焼器１０３が燃焼しているか否かを検知する。燃焼器１０３が燃焼しているとき、フレームロッド１３５から制御部１２１へフレームロッド信号が出力される。燃焼器１０３の燃焼が停止すると、フレームロッド信号が停止する。
【００３７】
リモートコントローラ２００は、たとえば、キッチンやリビングルーム等に設置され、給湯温度の設定や、種々の情報の表示のために用いられる。リモートコントローラ２００は、制御部２０１と、操作部２０２と、表示部２０３と、燃焼ランプ２０４とを備えている。
【００３８】
制御部２０１は、たとえば、マイクロコンピュータと、マイクロコンピュータの制御プログラムを格納したメモリとからなっている。メモリは、ＲＡＭ（Random Access Memory）やＲＯＭ（Read Only Memory）等を含む。メモリは、マイクロコンピュータのワーク領域としても用いられる。
【００３９】
操作部２０２には、給湯装置１０を給湯が可能な動作状態に設定するための運転ボタン、給湯温度を設定するための設定ボタンなどの各種ボタンが設けられている。表示部２０３は、たとえば、液晶パネルであり、設定された給湯温度など、各種の情報が含まれる画面を表示する。燃焼ランプ２０４は、たとえば、単色または複数色の光を発光可能なＬＥＤにより構成され、燃焼器１０３が燃焼（動作）しているときには点灯し、燃焼器１０３の燃焼（動作）が停止しているときには消灯する。表示部２０３および燃焼ランプ２０４は、制御部２０１により制御される。
【００４０】
給湯器１００の回路基板１２０は、２芯通信線Ｓにより、リモートコントローラ２００と接続されている。２芯通信線Ｓは、給湯器１００からリモートコントローラ２００に対する電源供給にも用いられる。電源電圧に通信信号が重畳されることにより、回路基板１２０の制御部１２１とリモートコントローラ２００の制御部２０１との間で通信が行われる。たとえば、後述する燃焼制御において、制御部１２１から制御部２０１へ給湯信号、燃焼信号などが送信される。制御部１２１は、制御部２０１へ燃焼信号を送信することにより、制御部２０１を介して燃焼ランプ２０４を制御する。
【００４１】
次に、給湯装置１０における燃焼器１０３の燃焼制御について説明する。
【００４２】
なお、本実施形態では、燃焼器１０３の燃焼制御に用いられる熱量が号数により表される。１号は、１Ｌ/ｍｉｎの流量の下で水温（湯温）を２５℃上昇させるために必要な熱量である。よって、１号＝２５ｋｃａｌ/ｍｉｎとなる。
【００４３】
図２は、燃焼制御に係る処理を示すフローチャートである。燃焼制御に係る処理は、給湯器１００の制御部１２１により、給湯装置１０が動作状態にある間、繰り返し実行される。
【００４４】
図２を参照し、制御部１２１は、流量センサ１３４により検知された缶体流量が、最低作動流量（以下、「ＭＯＱ」と称する）以上であるか否かを判定する（Ｓ１０１）。給湯器１００に接続されたカランの蛇口がユーザにより開かれると、水栓や外部装置からの水が給湯器１００に供給されて配管１０９を流れ、缶体流量がＭＯＱ以上となる。
【００４５】
制御部１２１は、缶体流量がＭＯＱ以上であると判定すると（Ｓ１０１：ＹＥＳ）、ファン１１３を駆動するとともに、電磁弁１０７および比例弁１０８を開放し、イグナイタ１０３ａにより点火を行い、燃焼器１０３の燃焼を開始する（Ｓ１０２）。そして、制御部１２１は、入力熱量に応じて燃焼器１０３の発熱量を調節する発熱量調節処理を、缶体流量がＭＯＱ以上である間（Ｓ１０４:ＮＯ）、所定の実行周期［ｎ］で繰り返し行う（Ｓ１０３）。
【００４６】
カランの蛇口がユーザにより閉じられ、水栓や外部装置からの水の供給が停止すると、缶体流量がＭＯＱより小さくなる。制御部１２１は、缶体流量がＭＯＱより小さくなったと判定すると（Ｓ１０４：ＹＥＳ）、電磁弁１０７および比例弁１０８を閉鎖して燃焼器１０３の燃焼を停止する（Ｓ１０５）。この際、制御部１２１は、ファン１１３を、燃焼器１０３の燃焼が停止してから所定時間、たとえば、１０秒が経過した後に停止させる。
【００４７】
なお、ハンチング防止のため、ＭＯＱにヒステリシスを持たしてもよい。この場合、燃焼を開始させるための判定（Ｓ１０１）に用いるＭＯＱの値が燃焼を停止させるための判定（Ｓ１０４）に用いるＭＯＱの値よりも大きくされる。
【００４８】
図３は、発熱量調節処理を示すフローチャートである。
【００４９】
図３を参照し、制御部１２１は、入力熱量である入力号数を算出する（Ｓ２０１）。
【００５０】
入力号数（要求熱量）は、１次熱交換器１０４および２次熱交換器１０５での加熱により、缶体温度の目標となる缶体設定温度の湯を得るために要求される要求号数（要求熱量）に、燃料ガスの２次圧の公差内でのばらつきにより生じる缶体設定温度と缶体温度との差分を埋めるための補正値を加えた熱量である。補正値は、缶体設定温度と缶体温度の差分値に基づくフィードバック制御により取得される。フィードバック制御として、ＰＩ制御を用いることができる。
【００５１】
要求号数ＱＲは、缶体設定温度ＴＴ、入水温度Ｔｉｎおよび缶体流量Ｑを用いて、次の（式１）により算出される。
ＱＲ＝（ＴＴ−Ｔｉｎ）×Ｑ×０．０４・・・（式１）
【００５２】
ここで、缶体設定温度ＴＴは、ユーザにより設定される給湯設定温度Ｔｒよりも所定温度α（たとえば、１５℃）高い温度、即ちＴｒ＋αに設定される。給湯設定温度Ｔｒは給湯温度の目標値であり、リモートコントローラ２００において、ユーザの操作により設定される。
【００５３】
そして、入力号数ＱＩは、要求号数ＱＲ、缶体設定温度ＴＴ、缶体温度Ｔｏｕｔおよび缶体流量Ｑを用いて、次の（式２）により算出される。
ＱＩ＝ＱＲ＋ｋｐ×Ｑ×（ＴＴ−Ｔｏｕｔ）×０．０４＋ｋｉ×Ｑ×Σ（ＴＴ−Ｔｏｕｔ）×０．０４・・・（式２）
【００５４】
ここで、［ｋｐ×Ｑ×（ＴＴ−Ｔｏｕｔ）×０．０４＋ｋｉ×Ｑ×Σ（ＴＴ−Ｔｏｕｔ）×０．０４］はＰＩ制御による補正値であり、比例項と積分項とからなる。ｋｐおよびｋｉは、それぞれ、比例ゲインおよび積分ゲインであり、予め試験等を行うことにより適宜の値に定められる。
【００５５】
上述のとおり、燃焼器１０３は、比例弁１０８の開度、即ち燃料ガスの供給量を調節することにより、その燃焼による発熱量の調節が可能である。比例弁１０８の開度、即ち燃料ガスの供給量が最大であるとき、燃焼器１０３の発熱量は最高となり、比例弁１０８の開度、即ち燃料ガスの供給量が、燃焼器１０３の安定的な燃焼状態を確保できる下限値であるとき、燃焼器１０３の発熱量は最低となる。
【００５６】
制御部１２１のメモリには、燃焼器１０３の発熱量が調節可能な範囲において、入力熱量、即ち入力号数に対応付けられて比例弁１０８の開度が設定されたテーブルが記憶されている。
【００５７】
制御部１２１は、算出された入力号数が、燃焼器１０３の最低の発熱量である最低号数以上であるか否かを判定する（Ｓ２０２）。給湯器１００に供給される水の温度が低い場合や流量が大きい場合は、要求号数が大きくなって入力号数が大きくなるので、入力号数が最低号数以上となりやすい。
【００５８】
入力号数が最低号数以上である場合（Ｓ２０２：ＹＥＳ）、制御部１２１は、メモリに記憶されたテーブルを参照して、入力号数に対応する比例弁１０８の開度を今回の開度に決定し（Ｓ２０３）、決定した開度となるように比例弁１０８の開度を調節する（Ｓ２０４）。これにより、入力号数に応じて燃料ガスの供給量が調節される。
【００５９】
こうして、制御部１２１は、入力号数が最低号数を下回らない、即ち、燃焼器１０３の発熱量が調節可能な最低の発熱量を下回らない限り、実行周期［ｎ］で、Ｓ２０１〜Ｓ２０４の処理を繰り返し、燃焼器１０３の発熱量を入力号数となるように調節しながら燃焼器１０３を連続動作、即ち連続燃焼させる。
【００６０】
このような燃焼制御によって燃焼器１０３の発熱量が調節されることにより、１次熱交換器１０４および２次熱交換器１０５により加熱された後の湯の温度、即ち缶体温度Ｔｏｕｔを、缶体設定温度ＴＴに近い温度に維持することができる。なお、缶体設定温度ＴＴに加熱された湯は、配管１１１からの水が混合されて給湯設定温度Ｔｒまで温度が下げられた後に、配管１０９の出口から放出され、カラン等へ供給される。
【００６１】
一方、給湯器１００に供給される水の温度が高い場合や流量が小さい場合は、要求号数が小さくなって入力号数が小さくなるので、入力号数が最低号数を下回りやすい。特に、給湯装置１０が、水の予熱を行う外部装置に接続されている場合には、供給される水の温度が高くなるので、入力号数が最低号数を下回りやすくなる。
【００６２】
入力号数が最低号数を下回る場合（Ｓ２０２：ＮＯ）、制御部１２１は、仮想号数を算出する（Ｓ２０５）。仮想号数は、燃焼器１０３の燃焼によって入力号数に相当する発熱量（以下、「実入力号数」と称する）が実際に１次熱交換器１０４へ入力されたときに、１次熱交換器１０４により出力されると予測される発熱量である。実行周期［ｎ］の仮想号数ｙ［ｎ］は、実入力号数ｘ［ｎ］と給湯器１００が有する応答遅れの時定数Ｌとを用いて、指数移動平均に従う以下の（式３）により算出することができる。
ｙ［ｎ］＝（（Ｌ×ｙ［ｎ−１］）＋ｘ［ｎ］）／（Ｌ＋１）・・・（式３）
【００６３】
ここで、ｙ［ｎ］は、今回の実行周期［ｎ］での仮想号数であり、ｙ［ｎ−１］は、前回の実行周期［ｎ−１］での仮想号数である。ｘ［ｎ］は、今回の実行周期［ｎ］での実入力号数であり、燃焼器１０３の燃焼が停止しているときには０号となり、燃焼器１０３が燃焼しているときには最低号数となる。
【００６４】
制御部１２１は、算出された仮想号数が入力号数を超える場合（Ｓ２０６：ＹＥＳ）、燃焼器１０３の燃焼を停止する（Ｓ２０７）。一方、制御部１２１は、算出された仮想号数が入力号数以下である場合（Ｓ２０６：ＮＯ）、燃焼時の発熱量が最低号数となるように燃焼器１０３を燃焼させる（Ｓ２０８）。
【００６５】
こうして、制御部１２１は、入力号数が最低号数を下回る限り、実行周期［ｎ］で、Ｓ２０１、Ｓ２０２、Ｓ２０５〜Ｓ２０８の処理を繰り返し、仮想号数が入力号数以下となる期間、最低号数で燃焼し、仮想号数が入力号数を超える期間、燃焼が停止するように、燃焼器１０３を間欠動作、即ち間欠燃焼させる。
【００６６】
入力号数が最低号数を下回る場合、燃焼器１０３の発熱量を最低号数となるように調節して燃焼器１０３を連続動作させても、缶体温度Ｔｏｕｔは、缶体設定温度ＴＴよりも高くなって缶体設定温度ＴＴに近い温度に維持できない。しかしながら、このような場合には、燃焼器１０３を間欠動作させることにより、間欠動作による平均的な発熱量が、最低号数より低い入力号数に近くなるようにできるので、缶体温度Ｔｏｕｔを、缶体設定温度ＴＴに近い温度に維持することができる。
【００６７】
なお、図３のフローチャートには示されていないが、燃焼器１０３の間欠動作時において、燃焼器１０３が燃焼している期間が最小時間（たとえば、１秒）を超えない場合には、仮想号数が入力号数を超えても制御部１２１が燃焼器１０３の燃焼を停止させず、燃焼器１０３の燃焼が停止している期間が最小時間（たとえば、１秒）を超えない場合には、仮想号数が入力号数以下となっても制御部１２１が燃焼器１０３の燃焼を開始しないような構成が採られることが望ましい。また、Ｓ２０１で算出された入力号数が最低号数よりも低い所定号数を下回る場合には、制御部１２１が、燃焼器１０３の間欠動作を行わずに燃焼を停止させるような構成が採られることが望ましい。
【００６８】
さて、本実施形態の給湯装置１０において、同じ比例弁１０８の開度での燃料ガスの供給量が公差の範囲内で大きくなった場合、燃焼器１０３の発熱量が大きくなるので、缶体温度Ｔｏｕｔが缶体設定温度ＴＴよりも大きくなりやすい。これにより、（式２）の補正値が負の値をとりやすくなって、要求号数ＱＲが同じであっても入力号数ＱＩが小さくなりやすい。一方、同じ比例弁１０８の開度での燃料ガスの供給量が公差の範囲内で小さくなった場合、燃焼器１０３の発熱量が小さくなるので、缶体温度Ｔｏｕｔが缶体設定温度ＴＴよりも小さくなりやすい。これにより、（式２）の補正値が正の値をとりやすくなって、要求号数ＱＲが同じであっても入力号数ＱＩが大きくなりやすい。
【００６９】
本実施形態の給湯装置１０では、図３の発熱量調節処理のＳ２０２において、燃焼器１０３を連続動作させるか間欠動作させるかの判定に、要求号数ＱＲ（要求熱量）ではなく、実際の燃焼器１０３の発熱量のばらつきに合わせて変動する入力号数ＱＩ（入力熱量）が用いられている。このため、要求号数ＱＲ（要求熱量）を用いて燃焼器１０３を連続動作させるか間欠動作させるかの判定が行われる構成と異なり、実際の最低号数が設定上の最低号数よりも大きいために燃焼器１０３を連続動作させると缶体温度Ｔｏｕｔが缶体設定温度ＴＴよりも高い温度に維持されてしまうにも関わらず、連続動作が行われたり、実際の最低号数が小さいために燃焼器１０３を間欠動作させると缶体温度Ｔｏｕｔが缶体設定温度ＴＴよりも低い温度に維持されてしまうにも関わらず、間欠動作が行われたりする、ということが生じにくくなる。よって、燃料ガスの供給量が公差の範囲内でばらついても、燃焼器１０３の動作を、連続動作と間欠動作との間で適正に切り替えることが可能となる。
【００７０】
＜実施形態の効果＞
本実施形態によれば、以下の効果が奏され得る。
【００７１】
缶体設定温度ＴＴと入水温度Ｔｉｎとの差分値および缶体流量Ｑに基づく要求号数ＱＲに、缶体設定温度ＴＴと缶体温度Ｔｏｕｔとの差分値に基づく補正値を加えることにより、入力号数ＱＩが取得され、入力号数ＱＩが最低号数を下回らない場合は、入力号数ＱＩに対応する発熱量となるように燃焼器１０３が連続動作し、入力号数ＱＩが最低号数を下回る場合は、燃焼器１０３が間欠動作するような構成とされている。ここで、具体的には、補正値は、缶体設定温度ＴＴと缶体温度Ｔｏｕｔとの差分値および缶体流量Ｑに基づくフィードバック制御により取得される。
【００７２】
この構成によれば、燃料ガスの供給量が公差の範囲内でばらついても、燃焼器１０３の動作を、連続動作と間欠動作との間で適正に切り替えることができ、安定した給湯温度の給湯を行うことができる。また、燃焼器１０３が最低号数で連続動作したときに缶体温度Ｔｏｕｔが缶体設定温度ＴＴより大幅に上昇し、缶体１０２が高温になって缶体１０２の耐久性に影響が出る、ということを防止できる。
【００７３】
また、補正値を得るためのフィードバック制御として、ＰＩ制御が用いられているので、缶体設定温度ＴＴと缶体温度Ｔｏｕｔとの差分値に基づく、より適正な補正値を取得でき、より適正な入力号数ＱＩを取得できる。
【００７４】
さらに、入力号数ＱＩに応じて燃料ガスの供給量が制御されるので、燃焼器１０３の連続動作時および間欠動作時において、適正な発熱量を１次熱交換器１０４および２次熱交換器１０５に与えることができ、缶体温度Ｔｏｕｔを缶体設定温度ＴＴの近くに維持できる。
【００７５】
＜変更例＞
本発明に係る給湯装置は、上記実施形態の構成に限定されるものではなく、種々の変更が可能である。
【００７６】
上記実施形態では、入力熱量である入力号数ＱＩが、（式２）による演算により取得された。しかしながら、これに限られず、たとえば、入水温度Ｔｉｎと、缶体温度Ｔｏｕｔと、缶体流量Ｑとに対応付けられて入力号数ＱＩが設定されたテーブルが制御部１２１のメモリに用意され、このテーブルを参照することにより、入力号数ＱＩが取得されるようにしてもよい。
【００７７】
また、上記実施形態では、（式２）の補正値を取得するため、缶体設定温度ＴＴと缶体温度Ｔｏｕｔとの差分値および缶体流量Ｑに基づくフィードバック制御として、ＰＩ制御が用いられた。しかしながら、フィードバック制御として、Ｐ制御またはＰＩＤ制御が用いられてもよい。
【００７８】
さらに、上記実施形態では、要求号数ＱＲ（要求熱量）に、缶体設定温度ＴＴと缶体温度Ｔｏｕｔとの差分値に基づく補正値を加えることにより入力号数ＱＩ（入力熱量）が取得された。しかしながら、要求号数ＱＲに、給湯設定温度Ｔｒと給湯温度との差分値に基づく補正値を加えることにより入力号数ＱＩが取得されるようにしてもよい。
【００７９】
さらに、上記実施形態では、図２のＳ１０１のＭＯＱ以上か否かの判定およびＳ１０４のＭＯＱ未満か否かの判定に、缶体流量が用いられた。しかしながら、これに代えてあるいはこれとともに、トータル流量（缶体流量＋バイパス流量（配管１１１の流量））が用いられてもよい。トータル流量は、流量センサ１３４の検知流量および分配弁１１２の開度（制御位置）によって求められる。トータル流量を用いて判定される場合のＭＯＱは、缶体流量を用いて判定される場合のＭＯＱとは異なる値となる。
【００８０】
さらに、上記実施形態では、入力号数ＱＩが最低号数を下回る場合に、燃焼器１０３の間欠動作が行われる。しかしながら、入力号数ＱＩが最低号数よりも少し高い所定号数を下回る場合に、燃焼器１０３の間欠動作が行われるようにされてもよい。
【００８１】
さらに、上記実施形態では、燃焼器１０３の発熱量が、比例弁１０８の開度、即ち、燃料ガスの供給量により調節された。しかしながら、燃焼器１０３が複数のバーナーを備える場合には、燃焼器１０３の発熱量が、比例弁１０８の開度と点火されるバーナーの個数により調節されてもよい。
【００８２】
さらに、給湯器１００の構成は、図１に示した構成に限られるものではなく、適宜変更可能である。
【００８３】
さらに、上記実施形態では、給湯のみが可能な給湯装置１０が例示されたが、給湯とともに風呂の追い焚きが可能な給湯装置１０に本発明が適用されてもよい。本発明は、給湯とともに温水暖房が可能な給湯装置に適用されてもよい。また、ガス式に限らず、オイル式等の他の燃焼方式の給湯装置に本発明が適用されてもよい。さらに、燃焼方式の給湯装置でなく、発熱部が電気ヒータ等である電気方式の給湯装置に本発明が適用されてもよい。
【００８４】
この他、本発明の実施形態は、特許請求の範囲に記載の範囲で適宜種々の変更可能である。
【符号の説明】
【００８５】
１０  給湯装置
１０３  燃焼器(燃焼部)
１０４  １次熱交換器（加熱部）
１０５  ２次熱交換器（加熱部）
１２１  制御部
１３１  温度センサ（第１温度検知部）
１３２  温度センサ（第２温度検知部）
１３４  流量センサ（流量検知部）
ＱＩ  入力号数（入力熱量）
ＱＲ  要求号数（要求熱量）
Ｔｉｎ  入水温度（第１温度）
Ｔｏｕｔ  缶体温度（第２温度）
ＴＴ  缶体設定温度（目標温度）
Ｑ  缶体流量（流量）
【図１】
2020204440.tif 000003
【図２】
2020204440.tif 000004
【図３】
2020204440.tif 000005